(57)【特許請求の範囲】
【請求項１】
立設した一対の支柱間に連結部材を架設し、その上及び下に矩形状のパネル材を取り付けてなる間仕切パネル装置であって、
前記連結部材は、前記支柱の幅方向に配設された一対の連結杆と、前記一対の連結杆を幅方向に所定間隔で保持する保持部材と、を備えていることを特徴とする間仕切パネル装置。
【請求項２】
前記保持部材は、前記一対の連結杆よりも該連結杆の長手方向に短尺に形成されており、前記一対の連結杆の間に少なくとも１つ配設されていることを特徴とする請求項１に記載の間仕切パネル装置。
【請求項３】
前記保持部材は、前記一対の連結杆に対してそれぞれ凹凸嵌合していることを特徴とする請求項１または２に記載の間仕切パネル装置。
【請求項４】
前記保持部材は、前記一対の連結杆の離間を防止する拡開規制手段と、前記一対の連結杆の近接を防止する近接規制手段と、を備えていることを特徴とする請求項１ないし３のいずれかに記載の間仕切パネル装置。
【請求項５】
前記拡開規制手段と前記近接規制手段とは、前記一対の連結杆を上下方向から挟んだ状態で連結されていることを特徴とする請求項４に記載の間仕切パネル装置。
【発明の詳細な説明】
【技術分野】
【０００１】
本発明は、建物内の部屋や空間を仕切る間仕切パネル装置に関する。
【背景技術】
【０００２】
複数の機能性に富んだ独立性の高い執務区画を設ける場合、部屋の床面にパーティションを立設して建物内の部屋や空間を仕切り、複数の区画に分割している。その一例として、例えば、特許文献１に示されるように、立設した一対の支柱間に横方向に延びる複数の連結部材を架設し、該連結部材を利用してその幅方向の両側及び上下にパネル材を取り付ける間仕切パネル装置が開発されている。
【０００３】
このような間仕切パネル装置は、近年、既存の病院やクリニックにおいて病室や治療ゾーンを複数の機能性の富んだ独立性の高い区画に仕切る際等への利用が広がっている。既存の病院やクリニックで利用するにあっては、パネル材内を通す医療ガス配管や電気配管の寸法や区画のレイアウト等により、間仕切パネル装置の厚さを変更しなければならないことが度々あった。
【先行技術文献】
【特許文献】
【０００４】
【特許文献１】特開２００９−２８７１７３号公報（第８頁、第４図）
【発明の概要】
【発明が解決しようとする課題】
【０００５】
しかしながら、特許文献１の間仕切りパネル装置にあっては、一本の連結部材の幅方向の両側にパネル材を取付ける構造であるため、間仕切パネル装置の厚さを変更するためには、予め異なる幅の連結部材を複数種類用意しておく必要があり、該連結部材の在庫管理が煩雑であった。
【０００６】
本発明は、このような問題点に着目してなされたもので、可能な限り共通の部材を用いて異なる厚さに対応できる連結部材を備えた間仕切パネル装置を提供することを目的とする。
【課題を解決するための手段】
【０００７】
前記課題を解決するために、本発明の間仕切パネル装置は、
立設した一対の支柱間に連結部材を架設し、その上及び下に矩形状のパネル材を取り付けてなる間仕切パネル装置であって、
前記連結部材は、前記支柱の幅方向に配設された一対の連結杆と、前記一対の連結杆を幅方向に所定間隔で保持する保持部材と、を備えていることを特徴とする間仕切パネル装置。
この特徴によれば、保持部材を変更すれば、一対の連結杆の間の距離を変更して間仕切パネル装置の厚さを変えられるため、一対の連結杆を間仕切パネル装置の厚さ毎に用意する必要がなく、可能な限り部材を共通化することができる。
【０００８】
前記保持部材は、前記一対の連結杆よりも該連結杆の長手方向に短尺に形成されており、前記一対の連結杆の間に少なくとも１つ配設されていることを特徴とする間仕切パネル装置。
この特徴によれば、一対の連結杆の間の所定間隔を決定する保持部材を小さくできるため、在庫を管理し易くなるとともに、連結部材を軽くすることができる。
【０００９】
前記保持部材は、前記一対の連結杆に対してそれぞれ凹凸嵌合していることを特徴とする間仕切パネル装置。
この特徴によれば、保持部材は一対の連結杆に凹凸嵌合しているため、一対の連結杆の幅方向の移動を規制できる。
【００１０】
前記保持部材は、前記一対の連結杆の離間を防止する拡開規制手段と、前記一対の連結杆の近接を防止する近接規制手段と、を備えていることを特徴とする間仕切パネル装置。
この特徴によれば、拡開規制手段と近接規制手段により一対の連結杆の幅方向の移動を規制できる。
【００１１】
前記拡開規制手段と前記近接規制手段とは、前記一対の連結杆を上下方向から挟んだ状態で連結されていることを特徴とする間仕切パネル装置。
この特徴によれば、拡開規制手段と近接規制手段とが一対の連結杆を上下方向から挟んだ状態で連結されているので、一対の連結杆の幅方向の移動を規制した状態で一対の連結杆を強固に連結することができる。
【図面の簡単な説明】
【００１２】
【図１】実施例おける間仕切パネル装置を用いて複数の区画を形成した状態を示す斜視図である。
【図２】間仕切パネル装置を用いて形成した１つの区画の構造を示す分解斜視図である。
【図３】間仕切パネル装置の構造を示す分解斜視図である。
【図４】一対の連結杆の所定間隔が保持部材によって保持された状態を示す側断面図である。
【図５】図４の状態から間仕切パネル装置の厚み幅を厚くした状態を示す側断面図である。
【図６】保持部材の変形例を示す側断面図である。
【図７】（ａ）は、一対の連結杆の変形例を示す上面図であり、（ｂ）は、同じく側断面図である。
【発明を実施するための形態】
【００１３】
本発明に係る間仕切パネル装置を実施するための形態を実施例に基づいて以下に説明する。
【実施例】
【００１４】
実施例に係る間仕切パネル装置につき、図１から図７を参照して説明する。以下、図４の画面左側を間仕切パネル装置の正面側（前方側）とし、画面右側を間仕切パネル装置の背面側（後方側）として説明する。また、図４を正面側から見て左右を間仕切パネル装置の左右（連結杆の長手方向）として説明する。
【００１５】
図１に示されるように、本実施例における間仕切パネル装置１，１，…は、主に医療施設等の室内空間に複数の区画Ｓ１〜Ｓ４を形成する際に用いられるものである。区画Ｓ１〜Ｓ４は、複数の間仕切パネル装置１，１，…と、床面と天井面との間に亘って上下方向に延設される区画形成用支柱２と、によって主に構成されており、区画形成用支柱２を基点として複数の間仕切パネル装置１，１，…が連設されている。この区画Ｓ１〜Ｓ４は、例えば抗がん剤等を用いて癌を治療する化学療法用等のブースとして使用される。尚、区画Ｓ１〜Ｓ４の構成は、ほぼ同一であることから、図１の手前右側の区画Ｓ１を例に取り説明し、該区画Ｓ１以外の説明を以下省略する。
【００１６】
区画Ｓ１は、区画形成用支柱２から直交して延びる２つの間仕切パネル装置１，１と、間仕切パネル装置１，１の自由端部から互いに近づくように直交して延びる間仕切パネル装置１’，１’とにより形成されている。間仕切パネル装置１’，１’は、間仕切パネル装置１，１よりも延設方向に短くなっていることから、間仕切パネル装置１’，１’の間が区画Ｓ１の出入口となっている。また、区画Ｓ１の中央部にはリクライニングチェア３が配置されており、リクライニングチェア３の回転やリクライニングができる程度のスペースが確保されている。
【００１７】
図１及び図２に示されるように、区画Ｓ１の内壁面には、治療に用いられる医療ガスの取出口であるアウトレット４が配設されており、アウトレット４を介して各種治療を行うことができるようになっている。さらに、区画Ｓ１の内壁面には、電源コンセント口５，５、ナースコールユニット６、棚板７，７（図１のみ図示）が配設されている。尚、本実施例では、アウトレット４、１つの電源コンセント口５、ナースコールユニット６が、区画Ｓ１の内壁の一部を構成する後述の各パネル材１２，１２，…のうち、適宜選択されたパネル材１２，１２，１２に配設されており、もう１つの電源コンセント口５が、区画Ｓ１の内壁の一部を構成する区画形成用支柱２のパネル２ａに取付けられている態様について説明するが、これらアウトレット４、電源コンセント口５，５、ナースコールユニット６、棚板７，７等の各種装置は、区画Ｓ１の内壁面の任意の位置に配置してもよい。
【００１８】
図１及び図２に示されるように、区画形成用支柱２は、環状筒体に形成され、内部に中空の筒状空間Ｔを有しており、且つ区画形成用支柱２の上端には、筒状空間Ｔに連通する開口２ｂ（図１のみ図示）が形成されている。前記医療ガス用の複数の配管９，９，…や各種電源用の配線１０，１０，…は、開口２ｂを介して天井面から筒状空間Ｔに導入されている。
【００１９】
また、区画形成用支柱２は、接続された間仕切パネル装置１，１の後述の支柱１４，１４に設けられた孔１４ａ，１４ａにそれぞれ連通する導通口２ｃ，２ｃを有しており、導通口２ｃ，２ｃを介して筒状空間Ｔに導入した配管９，９，…及び配線１０，１０，…を間仕切パネル装置１，１の内部に導通させることができる。これら間仕切パネル装置１，１の内部に導通された配管９，９，…は、前述のアウトレット４に接続されるとともに、配線１０，１０は、電源コンセント口５及びナースコールユニット６に接続される。
【００２０】
次に、間仕切パネル装置１の構造について説明する。尚、間仕切パネル装置１の構造はほぼ同一であることから、図２の区画形成用支柱２に対して画面右側に取付けられた間仕切パネル装置１について説明し、それ以外の間仕切パネル装置１及び間仕切パネル装置１’の構造の説明を省略する。
【００２１】
図２及び図３に示されるように、間仕切パネル装置１は、枠体１１と，枠体１１の前後にそれぞれ取付けられる複数のパネル材１２，１２，…と、から主に構成されており、間仕切パネル装置１の内部には所要の空間が形成されている。枠体１１は、左右に立設された支柱１４，１４と、支柱１４，１４の上下端同士を繋ぐ上部連結部材１５及び下部連結部材１６と、支柱１４，１４の上下方向の中間部同士を繋ぐ中部連結部材１７（連結部材）と、から構成されている。パネル材１２，１２，…は、上部連結部材１５と下部連結部材１６と中部連結部材１７とを利用して、中部連結部材１７の上下に取付けられている。
【００２２】
図３及び図４に示されるように、中部連結部材１７は、前後方向（幅方向）に所定間隔α（図４のみ図示）を開けて配設される一対の前部連結杆１８及び後部連結杆１９（一対の連結杆）と、前部連結杆１８及び後部連結杆１９間の所定間隔αを保持する保持部材２０，２０と、を備えている。尚、ここでは、所定間隔αは、後述する前部連結杆１８の上部突出部１８ｃと、後部連結杆１９の上部突出部１９ｃと、の間の距離を指している。
【００２３】
前部連結杆１８及び後部連結杆１９は、アルミなどの金属を押出形成により左右方向に延びるように形成されている。尚、前部連結杆１８及び後部連結杆１９は、略同一形成であるため、前部連結杆１８のみ説明し、後部連結杆１９の説明を省略する。
【００２４】
図４に示されるように、前部連結杆１８は、前面側からアクセス可能となっているレール部１８ａと、上面側の中央部から上方に突起する突部１８ｂと、後方側上部に突出する上部突出部１８ｃと、後方側下部に突出する下部突出部１８ｄと、を備えている。レール部１８ａには、前述した棚板７，７の後端部を係止させることで棚板７，７を取付けられるようになっている（図１参照）。尚、レール部１８ａには、棚板７，７以外にも卓上照明やその他備え付けの医療器具等の備品を取付けることができるようになっている。
【００２５】
また、前部連結杆１８は、上側のパネル材１２の下端面１２ａを載置可能な載置面１８ｅが、突部１８ｂよりもレール部１８ａ側に水平に延びて形成されており、突部１８ｂには、パネル材１２の下端部に設けられた下向き鉤状の係止片２４が係止されるようになっている。また、前部連結杆１８は、下側のパネル材１２の上端面１２ｂが当接される当接面１８ｆが、下部突出部１８ｄよりもレール部１８ａ側に水平に延びて形成されており、この当接面１８ｆには、長手方向に沿って所定間隔離間して板バネ状のバンド部材２５，２５，…が複数固着されており、当接面１８ｆとバンド部材２５，２５，…とによって下側のパネル材１２の上端板部１２ｃを挟み込むようになっている。
【００２６】
図３に示されるように、保持部材２０，２０は、前部連結杆１８及び後部連結杆１９よりも左右方向に短寸となっており、前部連結杆１８及び後部連結杆１９の長手方向（左右方向）に沿って本実施例では２箇所に設けられている。すなわち、図２に示されるように、前部連結杆１８と後部連結杆１９との間には、上下方向に連通する部分が形成されるため、その連通部分に間仕切パネル装置１の内部に導入された配線１０を挿通させることが可能になっている。尚、この前部連結杆１８と後部連結杆１９との間の連通部分には配管９，９，…も同様に挿通させることができる。さらに尚、この保持部材２０，２０は、前部連結杆１８及び後部連結杆１９の長手方向に沿って２箇所に設けられていたが、１箇所または３箇所以上設けられていてもよい。
【００２７】
また、図３及び図４に示されるように、保持部材２０は、前部連結杆１８及び後部連結杆１９の離間を防止する拡開規制手段２１と、前部連結杆１８及び後部連結杆１９の近接を防止する近接規制手段２２と、拡開規制手段２１及び近接規制手段２２を連結する連結手段としてのボルト・ナット２３と、を備えている。
【００２８】
図４に示されるように、拡開規制手段２１は、前後に延びる水平片２１ａと、水平片２１ａの前後両端から下方に延びる下向片２１ｂ，２１ｂ’と、を備えた断面視下向きコ字状を成している。この拡開規制手段２１は、その下向片２１ｂが前部連結杆１８の上部突出部１８ｃ及び突部１８ｂ間に形成された凹溝１８ｈ内に配設され、下向片２１ｂ’が後部連結杆１９の上部突出部１９ｃ及び突部１９ｂ間に形成された凹溝１９ｈ内に配設されており、下向片２１ｂ，２１ｂ’が上部突出部１８ｃの前面及び上部突出部１９ｃの後面にそれぞれ係止されることにより、前部連結杆１８及び後部連結杆１９の離間が防止されている。
【００２９】
近接規制手段２２は、前後に延びる水平片２２ａと、水平片２２ａの前後両端から下方に延びる下向片２２ｂ，２２ｂ’と、を備えた断面視下向きコ字状を成している。この近接規制手段２２は、その下向片２２ｂが前部連結杆１８の上部突出部１８ｃ及び下部突出部１８ｄの間に設けられた断面視横向きコ字形状の溝部１８ｊ内に配設されており、下向片２２ｂ’が後部連結杆１９の上部突出部１９ｃ及び下部突出部１９ｄの間に設けられた断面視横向きコ字形状の溝部１９ｊ内に配設されており、下向片２２ｂ，２２ｂ’が対向面１８ｇ及び対向面１９ｇに当接することにより、前部連結杆１８及び後部連結杆１９の近接が防止され、前部連結杆１８及び後部連結杆１９の所定間隔αが保持されるようになっている。すなわち、拡開規制手段２１と近接規制手段２２により前部連結杆１８及び後部連結杆１９の前後の移動が規制される。また、この拡開規制手段２１及び近接規制手段２２は、金属製の板材を折り曲げて形成されているため、保持部材２０の製造コストが抑えられている。
【００３０】
また、近接規制手段２２の下向片２２ｂは、近接規制手段２２を前部連結杆１８及び後部連結杆１９に取付ける際において、下部突出部１８ｄの上面１８ｋ上に載置できるようになっており、下向片２２ｂが上面１８ｋ上に載置された際には、下部突出部１８ｄの後方側上部に設けられた突起１８ｍに係止されて溝部１８ｊ内からの離脱が防止されるようになっているとともに、下向片２２ｂ’は、下部突出部１９ｄの上面１９ｋ上に載置できるようになっており、下向片２２ｂ’が上面１９ｋ上に載置された際には、下部突出部１８ｄの後方側上部に設けられた突起１９ｍに係止されて溝部１９ｊ内からの離脱が防止されようになっているため、近接規制手段２２と前部連結杆１８及び後部連結杆１９との組み立てがし易い。
【００３１】
また、近接規制手段２２を前部連結杆１８及び後部連結杆１９に取付ける際には、下向片２２ｂ，２２ｂ’を傾けて溝部１８ｊ，１９ｊ内に斜めから片側ずつ取付けることができるため、近接規制手段２２を前部連結杆１８及び後部連結杆１９に取付ける作業が簡便である。
【００３２】
また、拡開規制手段２１及び近接規制手段２２は、ボルト・ナット２３により上下方向に緊締されている。このようにボルト・ナット２３を緊締していくと、水平片２１ａ，２２ａ同士が上下に互いに近接するようになり、水平片２１ａ，２２ａにより上部突出部１８ｃと上部突出部１９ｃとを挟み込むようになる。これにより、前部連結杆１８及び後部連結杆１９を強固に連結することができる。
【００３３】
このように構成される間仕切パネル装置１は、間仕切パネル装置１の内部に導通される前述の配管９，９，…の寸法や配置、または区画のレイアウト等によって、その厚み幅β（前後のパネル材１２，１２同士の前後幅）を変更する必要が頻繁に生じる。
【００３４】
例えば、図５に示されるように、図４の間仕切パネル装置１の厚み幅βよりも大きな厚み幅β’を形成する際の態様について説明する。
【００３５】
先ず、図示しないが、支柱１４，１４、上部連結部材１５、及び下部連結部材１６を、該支柱１４，１４、上部連結部材１５、及び下部連結部材１６よりも前後幅の広い別の支柱、上部連結部材及び下部連結部材に変更する。
【００３６】
次いで、図５に示されるように、前記支柱に対して前部連結杆１８及び後部連結杆１９を取付けるとともに、前記拡開規制手段２１及び近接規制手段２２に替えて、前後幅の広い拡開規制手段２１’及び近接規制手段２２’（保持部材２０’）を前部連結杆１８及び後部連結杆１９に取付け、ボルト・ナット２３により固定する。これにより、前部連結杆１８及び後部連結杆１９間の所定間隔αよりも広い所定間隔α’が保持され、これに伴い間仕切パネル装置１の厚み幅βよりも大きな厚み幅β’を形成することができる。尚、前部連結杆１８及び後部連結杆１９を前記支柱に対して取付ける作業と、保持部材２０’を前部連結杆１８及び後部連結杆１９に取付ける作業と、の順番は、どちらから行ってもよい。
【００３７】
このように、保持部材２０から前後幅の異なる保持部材２０’に変更すれば、前部連結杆１８及び後部連結杆１９を用いて間仕切パネル装置１の厚み幅βよりも大きな厚み幅β’に対応することができるため、可能な限り中部連結部材１７を構成する部材を共通化することができる。つまり、前後幅の異なる中部連結部材を複数種類用意する必要が無く、在庫管理が簡便になる。さらに、前後幅の異なる保持部材のみを複数種類用意することにより、厚み幅β，β’以外の様々な間仕切パネル装置１の厚み幅に対応することができる。
【００３８】
また、前述のように、保持部材２０，２０’は、前部連結杆１８及び後部連結杆１９よりも左右方向に短尺となっているので、保持部材２０，２０’の在庫を管理し易くなるとともに、中部連結部材１７の重量を軽くすることができる。
【００３９】
また、本実施例においては、上部連結部材１５及び下部連結部材１６がそれぞれ左右方向に延びる１本の部材から構成されているが、前記中部連結部材１７と同様の構成としてもよい。これによれば、上部連結部材及び下部連結部材も複数種類用意する必要が無く、在庫管理がさらに簡便になる。
【００４０】
尚、保持部材の変形例として次のようなものもある。図６に示されるように、本変形例の保持部材２００は、下向きコ字状の屈曲板材２１１（拡開規制手段）と、上向きに開口するハット状の屈曲板材２２１（近接規制手段）と、が互いに固着されることにより形成されている。この保持部材２００は、屈曲板材２１１の下向片２１１ｂ，２１１ｂ’を上部突出部１８ｃの前面側と上部突出部１９ｃの後面側と、に配設するとともに、屈曲板材２２１の下向片２２１ｂ，２２１ｂ’を上部突出部１８ｃと上部突出部１９ｃとの間に配設することにより、前部連結杆１８及び後部連結杆１９の離間及び近接が防止される。このように、屈曲板材２１１と屈曲板材２２１とが一体型となっているため、前部連結杆１８及び後部連結杆１９の上方から保持部材２００を嵌め込むだけで取付け作業が完了する。
【００４１】
また、一対の連結杆の変形例として次のようなものもある。図７に示されるように、前部連結杆１８１及び後部連結杆１９１の対向した位置には、上方から切り欠かれた凹部２６，２６，…がそれぞれ形成されている。この対向し合う凹部２６，２６，…には、前部連結杆１８１及び後部連結杆１９１に拡開規制手段２１が架設されるように下向片２１ｂ，２１ｂ’が嵌挿されている。これによれば、拡開規制手段２１のみで前部連結杆１８１及び後部連結杆１９１の離間及び近接を防止できる。
【００４２】
また、一対の連結杆の変形例として次のようなものもある。図示しないが、前部連結杆１８の上部突出部１８ｃ及び後部連結杆１９の上部突出部１９ｃの上面の対向した位置には、上方に延びる突片がそれぞれ設けられており、該突片は平面板状の保持部材に設けられた孔にそれぞれ嵌挿可能となっている。このように、この対向し合う突片が保持部材に設けられた孔に嵌挿されることにより前部連結杆１８及び後部連結杆１９に保持部材が架設され、前部連結杆１８及び後部連結杆１９の離間及び近接を防止できるようになっている。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、前記実施例では、拡開規制手段２１及び近接規制手段２２を保持部材２０として説明したが、近接規制手段２２のみを保持手段とし、近接規制手段２２の下向片２２ｂ，２２ｂ’を溝部１８ｊ及び溝部１９ｊ内に配設することにより、前部連結杆１８及び後部連結杆１９の近接及び離間を防止して所定間隔αを保持するようにしてもよい。
【符号の説明】
【００４５】
１，１’          間仕切パネル装置
２                区画形成用支柱
１２              パネル材
１４              支柱
１７              中部連結部材（連結部材）
１８              前部連結杆（一対の連結杆）
１９              後部連結杆（一対の連結杆）
２０              保持部材
２１              拡開規制手段
２２              近接規制手段
２３              ボルト・ナット
２６              凹部
１８１            前部連結杆（一対の連結杆）
１９１            後部連結杆（一対の連結杆）
２００            保持部材
２１１            屈曲板材（拡開規制手段）
２２１            屈曲板材（近接規制手段）
α，α’          一対の連結杆間の所定間隔
β，β’          間仕切パネル装置の厚み幅
【図１】
0006581397.tif 000002
【図２】
0006581397.tif 000003
【図３】
0006581397.tif 000004
【図４】
0006581397.tif 000005
【図５】
0006581397.tif 000006
【図６】
0006581397.tif 000007
【図７】
0006581397.tif 000008